【事件の表示】
　平成１０年特許願第２４１３９３号「液晶表示装置」拒絶査定不服審判事件〔平成１１年１１月２６日出願公開、特開平１１−３２７５１８〕について、次のとおり審決する。
【結　論】
　本件審判の請求は、成り立たない。
【理　由】
第１．手続の経緯
　本願は、平成１０年８月２７日（優先権主張平成１０年３月１９日）の出願であって、平成１９年４月２０日（同年４月２４日発送。）に拒絶の理由が通知されたところ、これに対して、平成１９年６月２５日付けで意見書が提出されるとともに、同日付けで手続補正がなされ、これに対して、平成１９年７月２７日付け（同年８月７日発送。）で拒絶査定がされたところ、これに対して、平成１９年９月６日に拒絶査定不服審判が請求されたものである。
　
第２．本願発明
　本願の請求項１ないし４に係る発明は、平成１９年６月２５日付けの手続補正により補正された明細書及び図面の記載からみて、その特許請求の範囲の請求項１ないし４に記載された事項により特定されるとおりのものと認められるところ、その請求項１に係る発明（以下、「本願発明」という。）は、以下のとおりである。
「【請求項１】　マトリクス状に配線された複数行分のゲートラインと複数列分の信号ラインとの交差点に画素が２次元配置されてなる表示部と、
　所定の時分割数に対応した時系列の信号として、複数の信号ラインを単位とし、出力端子の奇数番目と偶数番目で極性が反転しかつこれらの極性が１水平走査期間ごとに反転する信号を出力するドライバ回路と、
　前記時分割数に対応した複数のスイッチを単位とし、前記ドライバ回路から出力される前記時系列の信号を時分割して前記複数列分の信号ラインのうちの対応する信号ラインに供給する時分割スイッチとを備え、
　前記時分割スイッチによる時分割の数を奇数に設定するとともに、前記時分割スイッチの前記複数のスイッチを同色の信号ラインに対応するスイッチごとに時分割駆動する
　ことを特徴とする液晶表示装置。」
　
第４．引用例記載の発明
　原査定の拒絶の理由で引用され、本願の優先権主張の日前に頒布された刊行物である特開平４−５２６８４号公報（以下、「引用例１」という。）には、図面とともに、次の事項が記載されている。
　
（１）「〔課題を解決するための手段〕
本発明における上記目的を達成するための技術的手段は、アクティブマトリクス方式の液晶パネルのＹ方向に延びてＸ方向に多数本配列したソースラインをドライバＩＣで駆動制御する方法であって、複数のデータラインを有するドライバＩＣの各データラインに第１のスイッチング素子を設けると共に上記液晶表示パネルの各ソースラインに第２のスイッチング素子を設け、上記ドライバＩＣの１出力をデータラインと対応する液晶表示パネルの複数のソースラインに接続し、ドライバＩＣの第１の各スイッチング素子に液晶表示パネルの第２の各スイッチング素子を同期させて順次０Ｎ・ＯＦＦさせることによりデータラインからのソースデータを時分割してドライバＩＣの１出力から上記データラインと対応するソースラインに供給するようにしたことである。」（公報第２頁左下欄第１７行−同頁右下欄第１３行。）
　
（２）「第１図及び第２図に示す本発明の液晶表示パネル（１１）は、第４図及び第５図に示す従来の液晶表示パネル（１）と略同−構造であり、その同一、又は相当部分については同一参照符号を付して重複説明は省略する。本発明の液晶表示パネル（１１）が従来のものと相異する点は、液晶表示パネル（１１）の各ソースライン（２）（２）・・・の入力側に第２のスイッチング素子（１２）（１２）・・・を設けたことにある。この第２のスイッチング素子（１２）（１２）・・・は、ソースライン（２）（２）・・・とゲートライン（３）（３）・・・とが交差する各画素（４）（４）・・・に設けたトランジスタ（５）（５）・・・と同様、ガラス基板上にＴＦＴを形成すればよい。
　次に上記液晶表示パネル（１１）のソースライン（２）（２）・・・に所定の電圧を印加する本発明のドライバＩＣ（１３）は、第１図及び第２図に示すように複数、例えばＲＧＢに対応させて３本のデータライン（１４）（１４）（１４）を有する。各データライン（１４）（１４）（１４）は３ビツトのソースデータを伝送して８階調の５１２色カラー表示を可能とする。尚、上記データライン（１４）は必ずしもＲＧＢに対応させる必要はなく、２本或いは４本以上有することも可能である。また、１６階調４０９６色カラー表示を行う場合には、各データライン（１４）では４ビツトのソースデータを伝送することになり、カラー表示での階調設定に基づいてデータライン（１４）でのビット数を設定すればよい。上記各データライン（１４）（１４）（１４）にはフリップフロップ回路（１５）（１５）（１５）及びラッチ回路（１６）（１６）（１６）が接続される。このフリップフロップ回路（１５）（１５）（１５）は１ビツトのソースデータを記憶する回路であり、ラッチ回路（１６）（１６）（１６）も１ビツトのソースデータを所定時間保持する回路であるため、上述したように３ビツトのデータライン（１４）（１４）（１４）ではフリップフロップ回路（１５）（１５）（１５）及びラッチ回路（１６）（１６）（１６）を夫々３個ずつ有する。本発明では、上記ラッチ回路（１６）（１６）（１６）の出力に第１のスイッチング素子（１７）（１７）（１７）を接続し、この第１のスイッチング素子（１７）（１７）（１７）を介して出力回路（１８）を接続する。尚、上記第１のスイッチング素子（１７）は各データライン（１４）ごとにビット数に応じて３個ずつ設けられる。上記出力回路（１８）では、データライン（１４）の３人力に対して１出力（１９）が設けられ、この１出力（１９）を液晶表示パネル（１１）の３本のソースライン（２）（２）（２）に第２のスイッチング素子（１２）（１２）（１２）を介して共通接続する。この出力回路（１８）は、３ビツトのソースデータによるデジタル入力をアナログ変換して所望のレベルの電圧を出力するもので、第３図に示すように８階調によるカラー表示では、トランジスタ（５）（５）・・・の中間レベル電圧を８段階に設定するために、３ピントのソースデータと対応する８個のスイッチング回路（２０）（２０）・・・を有し、この各スイッチング回路（２０）（２０）・・・に第１〜第８の中間レベル電圧Ｖ１〜Ｖ８を入力する。各スイッチング回路（２０）（２０）・・・の各出力は共通接続されて出力回路（１８）の１出力（１９）となる。尚、この出力回路（１８）の動作時、どのスイッチング回路（２０）（２０）・・・を選択するかはデコーダ回路（図示せず）によって行われる。」
　
（３）「次に上記構成からなる液晶表示パネル（１１）及びドライバＩＣ（１３）の動作を説明する。
　まず、ドライバＩＣ（１３）では、各データライン（１４）（１４）（１４）の３ビツトのソースデータはフリップフロップ回路（１５）（１５）（１５）で記憶されると共にラッチ回路（１６）（１６）（１６）で所定時間保持される。このラッチ回路（１６）（１６）（１６）から出力されたソースデータは、第１のスイッチング素子（１７）（１７）（１７）を介して出力回路（１８）に送出される。この時、上記第１のスイッチング素子（１７）（１７）（１７）をゲート制御信号（Ｓｌ）の印加により順次ＯＮさせる。これにより出力回路（１８）では、データライン（１４）（１４）（１４）でのソースデータに基づいて所望のスイッチング回路（２０）（２０）・・・を順次ＯＮさせて第１〜第８の中間レベル電圧Ｖ１〜Ｖ８のうち所望の電圧を順次出力する。そして、液晶表示パネル（１１）では上記ドライバＩＣ（１３）の第１のスイッチング素子（１７）（１７）（１７）と同期させて第２のスイッチング素子（１２）（１２）（１２）をゲート制御信号（Ｓ２）により順次ＯＮさせ、出力回路（１８）の１出力（１９）から時分割して送出される所望の第１〜第８の中間レベル電圧Ｖ１〜Ｖ８を所定のソースライン（２）（２）（２）に順次供給する。」
　
（４）図面の第１図及び第２図を上記摘記事項（２）及び当該技術分野の技術常識を参酌して解釈するに、ＲＧＢからなる３つの画素（４）を単位として、該単位の繰り返しにより液晶パネル（１１）を形成し、同色のソースライン（２）に対応する第２のスイッチング素子（１２）を一括して時分割で駆動することを、見て取ることができる。
　
ア．上記摘記事項（１）及び（２）から、マトリクス状に配線された複数行分のゲートライン（３）と複数行分のソースライン（２）との交差点に画素（４）がガラス基板上に配置されてなる液晶表示パネル（１１）を、読み取ることができる。また、画素（４）がガラス基板上に配置されてなることから、該画素が２次元配置されてなることは、技術的に明白である。
　
イ．上記摘記事項（２）及び（３）から、所定の時分割数に対応した順次の信号として、３列のソースライン（２）を単位とし、所望のレベルの電圧を１出力（１９）から出力するドライバＩＣ（１３）を、読み取ることができる。
　
ウ．上記摘記事項（２）及び（３）から、時分割数に対応した３つの第２のスイッチング素子（１２）を単位とし、ドライバＩＣから出力される順次の信号を時分割して３列分のソースライン（２）のうちの対応するソースライン（２）に供給する第２のスイッチング素子（１２）の群を、読み取ることができる。
　
エ．上記摘記事項（２）及び（３）並びに第１図、第２図の記載から、第２のスイッチング素子（１２）の群による時分割の数を３に設定するとともに、第２のスイッチング素子（１２）の群の第２のスイッチング素子（１２）を同色のソースライン（２）に対応する第２のスイッチング素子（１２）を一括して時分割で駆動することを、読み取ることができる。
　
オ．上記摘記事項（２）及び当該技術分野の技術常識から、液晶表示パネル（１１）とドライバＩＣ（１３）とを備えた液晶表示装置を、読み取ることができる。
　
　したがって、上記摘記事項（１）ないし（３）並びに図面の記載からみて、引用例１には、以下の発明が記載されているものと認められる。
「マトリクス状に配線された複数行分のゲートライン（３）と複数行分のソースライン（２）との交差点に画素（４）が２次元配置されてなる液晶表示パネル（１１）と、
　所定の時分割数に対応した順次の信号として、３列のソースライン（２）を単位とし、所望のレベルの電圧を１出力（１９）から出力するドライバＩＣ（１３）と、
　前記時分割数に対応した３つの第２のスイッチング素子（１２）を単位とし、前記ドライバＩＣ（１３）から出力される前記順次の信号を時分割して前記３列分のソースライン（２）のうちの対応するソースライン（２）に供給する第２のスイッチング素子（１２）の群とを備え、
　前記第２のスイッチング素子（１２）の群による時分割の数を３に設定するとともに、前記第２のスイッチング素子（１２）の群の前記第２のスイッチング素子（１２）を同色のソースライン（２）に対応する第２のスイッチング素子（１２）を一括して時分割で駆動する、
　液晶表示パネル（１１）とドライバＩＣ（１３）とを備えた液晶表示装置。」（以下、「引用発明」という。）
  
第５．対比
　本願発明と引用発明とを対比する。
（１）引用発明の「ゲートライン（３）」は、本願発明の「ゲートライン」に相当し、以下同様に、「ソースライン（２）」は「信号ライン」に、「画素（４）」は「画素」に、「液晶表示パネル（１１）」は「表示部」に相当するから、引用発明の「マトリクス状に配線された複数行分のゲートライン（３）と複数行分のソースライン（２）との交差点に画素（４）が２次元配置されてなる液晶表示パネル（１１）」は、本願発明の「マトリクス状に配線された複数行分のゲートラインと複数列分の信号ラインとの交差点に画素が２次元配置されてなる表示部」に相当する。
（２）引用発明の「順次の信号」は、本願発明の「時系列の信号」に相当し、以下同様に、「３列のソースライン（２）を単位とし」は「複数の信号ラインを単位とし」に、「１出力（１９）」は「出力端子」に、「ドライバＩＣ（１３）」は「ドライバ回路」に相当するから、引用発明の「所定の時分割数に対応した順次の信号として、３列のソースライン（２）を単位とし、所望のレベルの電圧を１出力（１９）から出力するドライバＩＣ（１３）」は、本願発明の「所定の時分割数に対応した時系列の信号として、複数の信号ラインを単位とし、出力端子の奇数番目と偶数番目で極性が反転しかつこれらの極性が１水平走査期間ごとに反転する信号を出力するドライバ回路」と、「所定の時分割数に対応した時系列の信号として、複数の信号ラインを単位とし、出力端子から信号を出力するドライバ回路」との限りにおいて一致する。
（３）引用発明の「３つの第２のスイッチング素子（１２）」は、本願発明の「複数のスイッチ」に相当し、以下同様に、「３列分のソースライン（２）」は「複数列分の信号ライン」に、「第２のスイッチング素子（１２）の群」は「時分割スイッチ」に相当するから、引用発明の「前記時分割数に対応した３つの第２のスイッチング素子（１２）を単位とし、前記ドライバＩＣ（１３）から出力される前記順次の信号を時分割して前記３列分のソースライン（２）のうちの対応するソースライン（２）に供給する第２のスイッチング素子（１２）の群」は、本願発明の「前記時分割数に対応した複数のスイッチを単位とし、前記ドライバ回路から出力される前記時系列の信号を時分割して前記複数列分の信号ラインのうちの対応する信号ラインに供給する時分割スイッチ」に相当する。
（４）引用発明の「時分割の数を３に設定する」は、本願発明の「時分割の数を奇数に設定する」に、以下同様に、「同色のソースライン（２）に対応する第２のスイッチング素子（１２）を一括して」は「同色の信号ラインに対応するスイッチごとに」に相当するから、引用発明の「前記第２のスイッチング素子（１２）の群による時分割の数を３に設定するとともに、前記第２のスイッチング素子（１２）の群の前記第２のスイッチング素子（１２）を同色のソースライン（２）に対応する第２のスイッチング素子（１２）を一括して時分割で駆動する」は、本願発明の「前記時分割スイッチによる時分割の数を奇数に設定するとともに、前記時分割スイッチの前記複数のスイッチを同色の信号ラインに対応するスイッチごとに時分割駆動する」に相当する。
（５）引用発明の「液晶表示パネル（１１）とドライバＩＣ（１３）とを備えた液晶表示装置」は、本願発明の「液晶表示装置」に相当する。
　
　したがって、本願発明と引用発明の両者は、 以下の一致点で一致し、以下の相違点で相違する。
　
＜一致点＞
「マトリクス状に配線された複数行分のゲートラインと複数列分の信号ラインとの交差点に画素が２次元配置されてなる表示部と、
　所定の時分割数に対応した時系列の信号として、複数の信号ラインを単位とし、出力端子から信号を出力するドライバ回路と、
　前記時分割数に対応した複数のスイッチを単位とし、前記ドライバ回路から出力される前記時系列の信号を時分割して前記複数列分の信号ラインのうちの対応する信号ラインに供給する時分割スイッチとを備え、
　前記時分割スイッチによる時分割の数を奇数に設定するとともに、前記時分割スイッチの前記複数のスイッチを同色の信号ラインに対応するスイッチごとに時分割駆動する
　ことを特徴とする液晶表示装置。」
　
＜相違点１＞
　ドライバ回路が、本願発明では、「出力端子の奇数番目と偶数番目で極性が反転しかつこれらの極性が１水平走査期間ごとに反転する信号を出力する」のに対して、引用発明では、そのことが明確ではない点。
　
第６．判断
　上記相違点１について検討する。
　原査定の拒絶の理由で引用され、本願の優先権主張の日前に頒布された刊行物である特開平７−２１９４８４号公報（以下、「周知例１」という。）には、図面とともに、次の事項が記載されている。
　
（１）「【００６５】この結果、水平方向及び垂直方向に互いに隣接する液晶セル同士では、その駆動電圧の極性が逆になる。図７の（ｂ）は、図７の（ａ）に示すフレームの次の１フレームにおける各液晶セルの極性分布を示している。図７の（ｂ）では、走査電極Ｇ１、Ｇ２、Ｇ３、Ｇ４、Ｇ５のそれぞれの選択時におけるデータ信号ＶD1、ＶD2、ＶD3、ＶD4のコモン電圧に対する極性が、図７の（ａ）のときと比べて反転するので、各液晶セルの極性も同様に反転している。図７の（ｂ）に示すフレームの次の１フレームにおいては、各液晶セルの極性分布は再び図７の（ａ）のようになり、１フレーム毎に極性反転が繰り返される。
【００６６】このように本実施例によれば、低耐圧のデータドライバを用いて液晶パネルのドット反転駆動を行うこともできる。ドット反転駆動においては、データ電極の方向に互いに隣接する液晶セル同士の極性も逆になるのでフリッカ等の現象が起こりにくくなり、データバスライン反転駆動よりもさらに表示画質が向上する。図８は本実施例のドット反転駆動の詳細な動作を説明するタイミングチャートである。」
　
　本願の優先権主張の日前に頒布された刊行物である特開平８−１５６７０号公報（以下、「周知例２」という。）には、図面とともに、次の事項が記載されている。
　
（２）「【００３８】次に、図１を参照して、本実施例の液晶表示装置の動作について説明する。
【００３９】映像信号線１２の電圧変化は、遮光膜５により生じる寄生容量を介して、変調ノイズとなって画素電極６に印加される。それと同時に、隣の映像信号１３の電圧変化が、容量膜７により形成した補正容量を介して、変調ノイズとなって画素電極６に印加される。
【００４０】ここで、映像信号線１２の電圧変化と隣の映像信号線１３の電圧変化は、ドット反転駆動方式では、正負逆極性となり互いに逆相の関係にあるため、画素電極６において、２本の映像信号線１２、１３からの変調ノイズは互いに逆相となり打ち消し合うことになる。
【００４１】このようにして、画素電極６における電圧変動を低減することにより、輝度ムラや表示上のクロストーク現象を抑制することができる。」
　
　　本願の優先権主張の日前に頒布された刊行物である特開平８−２３４１６５号公報（以下、「周知例３」という。）には、図面とともに、次の事項が記載されている。
　
（３）「【０００６】
【発明が解決しようとする課題】前述した様に、液晶パネルの駆動方式において、図１０に示した様なドット反転駆動が好ましく、これはフリッカーの分散とカップリングのキャンセルによって画質を顕著に改善できる。ドット反転駆動を行なう為には、信号ラインに対して１本毎極性の反転した映像信号ＲＧＢを入力する必要がある。・・・・・。」
　
　上記周知例１ないし３の記載事項によれば、液晶表示装置において、表示品位の向上を目的としてドット反転駆動を採用することは、周知技術にすぎない。また、当該表示装置の技術分野において、表示品位の向上を図るとの技術課題は、表示装置が根源的に有してなる技術課題である。
　してみると、引用発明において、該表示装置が根源的に有してなる技術課題を解決するために、上記周知技術であるドット反転駆動を採用することに特段の困難性はない。そして、ドット反転駆動を採用した際には、隣接する画素同士で極性の反転した信号を印加する事が必須のことであるから、一水平期間を奇数に時分割した際、即ち、引用発明の３分割に相当する場合には、隣接する１出力（１９）が、反転した極性の信号を出力すると共に、且つ、１水平期間毎に反転する信号を出力する構成のドライバＩＣを採用することは、技術的に明白であり、また、そのような構成のドライバＩＣも周知のものである。よって、そのような構成のドライバＩＣを採用し、ドット反転駆動の実現を図ることは、当該技術分野における通常の知識を有する者にとって単なる通常の創作能力の発揮程度のことに過ぎない。
　なお、一水平期間を偶数に時分割した際、即ち、２分割又は４分割などの場合には、隣接する１出力（１９）が、同じ極性の信号を出力すると共に、且つ、各時分割時に極性反転する信号を出力する構成のドライバＩＣを採用しなければならないことも、また技術的に明白である。
　
　よって、上記相違点１に係る本願発明の発明特定事項は、引用発明に上記周知技術を適用することにより当業者が容易に想到し得たものである。
　
　なお、本願図面の図４に対応した構成、即ち、「同色の信号ラインをドライバ回路の同じ出力端子に接続して時分割駆動する」構成も、本願の優先権主張の日前に頒布された刊行物である特開昭６２−１９８８９８号公報や上記周知例３（図１１及び図１２の記載など参照。）に示されているように、よく知られた構成にすぎない。
　
　そして、本願発明の奏する効果も、引用例１の記載及び周知例１ないし３に記載された事項から当業者が予測可能な範囲内のものである。
　したがって、本願発明は、引用発明及び周知技術に基づいて、当業者が容易に発明をすることができたものである。
　
第７．むすび
　以上のとおりであるから、本件出願の請求項１に係る発明（本願発明）は特許法第２９条第２項の規定により特許を受けることができないものであり、その余の請求項２ないし４に係る発明についての判断を示すまでもなく、本件出願は、拒絶をすべきものである。
　よって、結論のとおり審決する。